(57)【要約】      （修正有）【課題】フィルタエレメント、特に内燃機関の吸気通路におけるフィルタシステムのための二次エレメントであり、自動車のエンジンルームスペース状況に最適に適合するフィルタエレメントを提供する。【解決手段】フィルタエレメントはジグザグ状に折畳まれた濾過媒体からなり、濾過媒体はポリウレタン発泡材からなる囲繞枠体で囲まれており、囲繞枠体は基本的に長円形の輪郭を有していて長円形の開口に嵌め込まれる。平板状の濾過媒体は前記長円形輪郭に沿うような最小の切り取りによりできるだけ最大の有効濾過面積が得られるように斜めに面取りされた側面領域を有している。ポリウレタン発泡材製の囲繞枠体を開口に対してシールするために、この枠体には囲繞溝あるいは囲繞側板が設けてある。【選択図】  図１
2007002841.tif 000002
【特許請求の範囲】
【請求項１】
フィルタエレメント、特にポリウレタン発泡材からなる枠体に囲繞されたジグザグ状に折畳まれた濾過媒体を有する、内燃機関の吸気通路におけるフィルタシステムのための二次エレメントであって、前記枠体は基本的に長円形の輪郭を有して長円形の開口に取り付けることができ、前記ジグザグ状に折畳まれた板状の濾過媒体は前記長円形輪郭に沿うような最小の切り取りによりできるだけ最大の有効濾過面積が得られるように斜めに面取りされた側面領域を有し、前記ポリウレタン発泡材製枠体のシールのために該枠体の開口を囲繞する溝あるいは隆起帯が設けられているフィルタエレメント。
【請求項２】
前記濾過媒体の折畳み襞は外周側で互いに糊付けで塞がれ、部分的あるいは全面的にポリウレタン発泡材にくるみ込まれていることを特徴とする請求項１記載のフィルタエレメント。
【請求項３】
前記濾過媒体の折畳み襞を横切る方向に濾過媒体全体に亘って補強線条が接着剤ビードの形態で設けられていることを特徴とする請求項１或は２に記載のフィルタエレメント。
【請求項４】
前記溝あるいは隆起帯は相手部分と協働して開口における確実なシールを行なうように円錐状に形成された側面を有することを特徴とする前記請求項のいずれか１項に記載のフィルタエレメント。
【請求項５】
前記濾過媒体の折畳み襞は外周側で互いに糊付けで塞がれてポリウレタン発泡材にくるみ込まれ、該ポリウレタン発泡材に植え込まれた熱可塑性プラスチックからなる支持枠体が設けられていることを特徴とする請求項１記載のフィルタエレメント。
【発明の詳細な説明】
【技術分野】
【０００１】
本発明は、フィルタエレメントに関し、特にポリウレタン発泡材からなる枠体に囲繞されたジグザグ状に折畳まれた濾過媒体を有する、内燃機関の吸気通路におけるフィルタシステムのための二次エレメントに関する。
【背景技術】
【０００２】
特許文献１（ＤＥ１２９９５３４）に折畳んだ濾過材からなるフィルタエレメントが開示されている。該フィルタエレメントでは濾過材を連結する接着剤物質が折畳み襞の稜を横切って延びている。該接着剤物質は折畳み襞の間隔を保持する役目を果たす。
【０００３】
自動車用のこのようなフィルタにおいても同様に接着剤物質あるいは接着剤ビードが折畳み襞の間隔保持に用いられている。そのような接着剤ビードは同時に濾過手段製作時にその側面に途切れなく付着される。該接着剤ビードは、ジグザグ状に折畳まれた濾過手段の場合にはフィルタエレメントの側面シールを形成する。
【０００４】
自動車の構造の発展とコンパクト化の趨勢の中で、自動車のエンジンルームにおいてフィルタシステムに利用できるスペースはますます減少している。通常の長方形のフィルタボックスを装着するためのスペースが十分に確保できないことが多く、したがって２個のフィルタあるいは二つのフィルタシステムを異なる場所に設けることも行なわれている。
【特許文献１】ＤＥ１２９９５３４
【発明の開示】
【発明が解決しようとする課題】
【０００５】
本発明の課題は、フィルタエレメント、特に内燃機関の吸気通路に設けるフィルタシステムの二次エレメントを提供することであり、その目的は与えられたスペース状況に最適に適合するフィルタエレメントを得ることである。この課題は独立請求項１に記載の特徴により解決される。
【課題を解決するための手段】
【０００６】
本発明の基本的な利点はフィルタエレメントが長円形の外殻形状を有することである。このことにより、比較的低い高さで構造空間を最適に利用することが可能となることである。そのような長円形状に適合するために濾過媒体は斜めに面取りされる、すなわち、濾過媒体は長円形状に最適に適合する形状を有するように製作される。該濾過部材からフィルタエレメントで塞がれる対応する開口までのつなぎはシール周縁を有するポリウレタン発泡材の枠体によりなされる。
【０００７】
本発明の実施形態によれば、濾過媒体の折畳み襞は外周側で互いに糊付けで塞がれ、これにより側面のシールが効果的に行なわれる。この外周面は、部分的に、あるいは全面的にポリウレタン発砲材にくるみ込まれる。フィルタエレメントの補強のために、折畳み襞の頂に補強線条を有利な方法で設けることができる。該補強線条は例えば熱接着剤あるいはその他の安定な材料のビードである。
【０００８】
他の実施形態では、ポリウレタン発砲材の枠体に設けられた溝あるいはそこに設けられた隆起帯は寸法公差が大きくても相手部品の開口とのシールが確実となるように円錐状の側面を有している。
【０００９】
さらに他の実施形態では、ポリウレタン発砲材の枠体のほかに熱可塑性の支持枠体が設けてある。該支持枠体は前記ポリウレタン発砲材に植え込んで安定させてある。このように固定することの利点は、一方において前記ポリウレタン発砲材が確実なシールを行なうとともに、他方においては前記支持枠体を安定にすることにある。
【００１０】
上記およびその他の本発明の好ましい実施例の特徴が、請求項のほか、明細書及び図面から読み取れ、それらの特徴が個々にあるいは幾つかが組み合わされて本発明の実施形態に実施され、および他の分野で適用されて有利かつそれ自身保護され得る実施形態を具現することができ、それらに対して茲に保護を要請する。
【発明を実施するための最良の形態】
【００１１】
本発明は以下に実施例を示す図面を参照してさらに詳細に説明される。図１は内燃機関の吸気通路におけるフィルタシステムのための二次エレメントの形のフィルタエレメント１０を示す。該フィルタエレメントはジグザグ状に折畳まれて板状に形成された濾過部材１１を有し、該濾過部材は基本的に長方形状をなしている。該濾過部材は長円形の丸み部領域で側縁面が斜めに切り取られて長円形のフィルタエレメント１０に適合するようにしてある。エレメント全体のシールは囲繞溝１３を備えたポリウレタン発泡材製の枠体１２によりなされる。濾過される空気が通る貫流開口は、前記濾過媒体の切り取りを最小にすることにより最大の有効濾過表面積が得られるようにしてある。ポリウレタン発泡材製の枠体１２は支持枠体１４に支持され、該支持枠体は熱可塑性プラスチック、例えばポリアミドやポリプロピレンからなる。
【００１２】
図２は図１に示された部分の断面を示す。図１と同じ構成部分には同じ符号が付してある。濾過媒体１１はその側縁面１５、１６において接着剤層でシールされている。該接着剤層はポリウレタン発泡材枠体１２まで延びている。このポリウレタン発泡材枠体１２は同時に前記支持枠体１４の囲繞側板１７が取り付けられる部材である。支持枠体１４はフィルタエレメントの流入側領域にフィルタエレメントを取付け位置から取り外すのに適する少なくとも一つのリブ１８を有する。さらに、該リブは濾過媒体１１に接合されており、濾過部材を安定にするのに寄与する。濾過部材の該リブ１８と反対側には二つの接着剤のビード１９，２０が図１に示されるように設けられており、これらのビードは濾過媒体１１を補強する作用を果たす。前記ポリウレタン発泡材枠体１２は、同じく図１に示されるように、囲繞溝１３を有する。該溝１３にはハウジング２２の隆起帯２１が嵌ってフィルタシステムの流入側２３と流出側２４の間のシールが行なわれる。流入側には吸入空気を濾過するここには図示しないメインフィルタエレメントが配置される。前記二次エレメントは、基本的にメインエレメントを整備する際やメインエレメントに故障が生じた際に内燃機関の吸入通路に粒子が入るのを効果的に防止する働きをする。前記隆起帯２１の円錐状に形成された側面および前記溝１３により、一方においては確実なシールがなされるとともに、他方においてはフィルタエレメントの取扱いが容易になる。フィルタエレメントを交換する際には大きな取出し力は必要ではなく、フィルタエレメントは必要な場合には容易に取付け位置から取り出して新しいフィルタエレメントと交換できる。
【図面の簡単な説明】
【００１３】
【図１】フィルタエレメントの斜視図である。
【図２】図１に示すフィルタエレメントの断面図である。
【図１】
2007002841.tif 000003
【図２】
2007002841.tif 000004